(57)【要約】      （修正有）【課題】開傘時に親骨が巧みに自動的に延伸して、花模様形状傘布を緊張させ、閉傘時には親骨が自動的に短縮して、花模様形状傘布を弛ませる、構造が簡単で、組み立て易く、かつ故障を起こす恐れが低い花模様形状傘を提供する。【解決手段】傘骨２には中心シャフト１の上端に固定された上ロクロ２５と、中心シャフト１にスライド自在に設置された下ロクロ２６と、基端部を上ロクロ２５に枢結する親骨２０と、親骨２０に設けた枢結具２１２と、及び基端部を下ロクロ２６に枢結すると共に先端部を前記枢結具２１２に枢結する受骨２３を備える。各親骨２０に傘布３を張設し、前記傘布３は花模様形状で、複数個の花弁３１から構成される。【選択図】図１
0003151126.tif 000002
【実用新案登録請求の範囲】
【請求項１】
中心シャフトと、傘骨と、傘布と、を有する花模様形状傘であり、前記傘骨には中心シャフトの上端に固定された上ロクロと、中心シャフトにスライド自在に設置された下ロクロと、基端部を上ロクロに枢結する親骨と、親骨に設けた枢結具と、及び基端部を下ロクロに枢結すると共に先端部を前記枢結具に枢結する受骨を備え、各親骨に傘布を張設し、前記親骨は一つのトップ骨と二つのアウター骨から構成されており、前記枢結具は前記トップ骨にスライド自在に外挿され、前記二つのアウター骨の基端部を前記枢結部に固定し、及びまた一つの締め付け骨も含まれて、前記締め付け骨の両端を別々に前記受骨の先端近傍に、また前記トップ骨の先端近傍に枢結し；前記傘布は花模様形状で、花模様形状傘布の各花弁の両側は別々に隣接した二つの親骨の二つのアウター骨につながるように構成してなることを特徴とする花模様形状傘。
【請求項２】
前記トップ骨の先端部がアウター骨に対して下へ湾曲して、一つの湾曲部を形成し、前記締め付け骨の先端部を前記湾曲部の端部に枢結するようにしたことを特徴とする請求項１記載の花模様形状傘。
【請求項３】
一つの傘頂部は該上ロクロの上方に位置して前記中心シャフトに上下移動自在に設置され、前記傘布の中心部は前記傘頂部につながり、前記傘頂部と上ロクロの間にはスプリングを挟んで設置されるようにしたことを特徴とする請求項１記載の花模様形状傘。
【請求項４】
前記中心シャフトに傘骨を展開状態に設定させる上ストッパーと、傘骨を収縮状態に設定させる下ストッパーが設置されるようにしたことを特徴とすることは請求項１記載の花模様形状傘。
【請求項５】
中心シャフトと、傘骨と、傘布と、を有する花模様形状傘であり、前記傘骨には中心シャフトの上端に固定された上ロクロと、中心シャフトにスライド自在に設置された下ロクロまた中ロクロと、基端部を上ロクロに枢結する親骨と、親骨に設けた枢結具と、基端部を中ロクロに枢結すると共に先端部を前記枢結具に枢結する受骨と、及び基端部を下ロクロに枢結すると共に先端部を前記受骨の基端近傍に枢結する子受骨を備え、前記中ロクロと下ロクロの間に位置する前記中心シャフトには一つのスプリングが外挿され、各親骨に傘布を張設し、前記親骨は一つのトップ骨と二つのアウター骨から構成されており、前記枢結具は前記トップ骨にスライド自在に外挿され、前記両アウター骨の基端部を前記枢結部に固定し、及びまた一つの締め付け骨も含まれて、前記締め付け骨の両端を別々に前記受骨の先端近傍に、また前記トップ骨の先端近傍に固定し；前記傘布は花模様形状で、花模様形状傘布の各花弁の両側は別々に隣接した両親骨の両アウター骨につながるように構成してなることを特徴とする花模様形状傘。
【請求項６】
前記中心シャフトに傘骨を収縮状態に設定させる下ストッパーが設置されるようにしたことを特徴とする請求項５記載の花模様形状傘。
【考案の詳細な説明】
【技術分野】
【０００１】
本発明は傘の構造に関し、特に一種の花模様形状傘に関する。
【背景技術】
【０００２】
従来の傘面の形が単一で、美観を増すためにただ傘布の形と図面を設計し、及び変更するが、傘骨に対する変更が少なく、なかなか人々の要望を満足できない。
【０００３】
出願番号 ＣＮ２００６２００8４8６7.3の発明には、一種の“花弁状の強化傘骨を有する傘”が開示され、前記傘には中心シャフトと傘骨があり、傘骨には中心シャフトの上端部に外挿され、固定された一つの上ロクロと、基端部を上ロクロの周縁にヒンジ接続される複数個の親骨と、上下スライド自在に前記中心シャフトの中に外挿される一つの下ロクロと、及び基端部を上ロクロの周縁にヒンジ接続される複数個の受骨を備え、各受骨の先端部を可動式に該当親骨の中にヒンジ接続され、前記親骨は二つの長骨から構成され、両長骨の中はディスクが並び、該受骨の先端部はディスクにヒンジ接続され、各長骨の先端部を輪によって隣接した一つの親骨の先端部に接続される。各長骨の先端部には別々に伸縮部品が設置され、傘布の縫合に役立つ。前記伸縮部品にはスプリングトップと、プラスチック製スリープと、及びスプリングを備え、スプリングトップは長骨の先端近傍に固定され、プラスチック製スリープはスプリングトップ以外に位置して、可動式に前記長骨に取り付けて、スプリングがスプリングトップとプラスチック製スリップの間に位置する。
【０００４】
開傘また閉傘する時、前記伸縮部品は自動的に傘布の緊張程度を調整するが、各長骨の先端部に全て前記伸縮部品が取り付けられることで、材料を無駄にするだけでなく、組み立てるのもかなりの時間がかかり、それに、使うとき、スプリングと傘布は互いに影響を及ぼすので、故障する恐れが高い。
【考案の概要】
【考案が解決しようとする課題】
【０００５】
本発明の目的として、従来の花模様形状傘の構造が複雑で、材料を無駄にし、組み立てるのにかなりの時間がかかり、故障しやすいという問題を克服して、一種の花模様形状傘を提供する。
【課題を解決するための手段】
【０００６】
本発明の目的を実現するために、以下の技術方案を採用する。
【０００７】
技術方案一：
中心シャフトと、傘骨と、傘布と、を有する花模様形状傘であり、前記傘骨には中心シャフトの上端に固定された上ロクロと、中心シャフトにスライド自在に設置された下ロクロと、基端部を上ロクロに枢結する親骨と、親骨に設けた枢結具と、及び基端部を下ロクロに枢結すると共に先端部を前記枢結具に枢結する受骨を備え、各親骨に傘布を張設し、前記親骨は一つのトップ骨と二つのアウター骨から構成されており、前記枢結具は前記トップ骨にスライド自在に外挿され、前記二つのアウター骨の基端部を前記枢結部に固定し、及びまた一つの締め付け骨も含まれて、前記締め付け骨の両端を別々に前記受骨の先端近傍に、また前記トップ骨の先端近傍に枢結する；前記傘布は花模様形状で、花模様形状傘布の各花弁の両側は別々に隣接した二つの親骨の二つのアウター骨につながる。
【０００８】
前記花模様形状傘では、前記トップ骨の先端部がアウター骨に対して下へ湾曲して、一つの湾曲を形成し、前記締め付け骨の先端部を前記湾曲部の端部に枢結する。
【０００９】
前記花模様形状傘では、一つの傘頂部は該上ロクロの上方に位置して前記中心シャフトに上下移動自在に設置され、前記傘布の中心部は前記傘頂部につながり、前記傘頂部と上ロクロの間にはスプリングを挟んで設置される。
【００１０】
前記花模様形状傘では、前記中心シャフトに傘骨を展開状態に設定させる上ストッパーと、傘骨を収縮状態に設定させる下ストッパーが設置される。
【００１１】
技術方案二：
中心シャフトと、傘骨と、傘布と、を有する花模様形状傘であり、前記傘骨には中心シャフトの上端に固定された上ロクロと、中心シャフトにスライド自在に設置された下ロクロまた中ロクロと、基端部を上ロクロに枢結する親骨と、親骨に設けた枢結具と、基端部を中ロクロに枢結すると共に先端部を前記枢結具に枢結する受骨と、及び基端部を下ロクロに枢結すると共に先端部を前記受骨の基端近傍に枢結する子受骨を備え、前記中ロクロと下ロクロの間に位置して前記中心シャフトには一つのスプリングが外挿され、各親骨に傘布を張設し、前記親骨は一つのトップ骨と二つのアウター骨から構成されており、前記枢結具は前記トップ骨にスライド自在に外挿され、前記両アウター骨の基端部を前記枢結部に固定し、及びまた一つの締め付け骨も含まれて、前記締め付け骨の両端を別々に前記受骨の先端近傍に、また前記トップ骨の先端近傍に固定する；前記傘布は花模様形状で、花模様形状傘布の各花弁の両側は別々に隣接した両親骨の両アウター骨につながる。
【００１２】
前記花模様形状傘では、前記中心シャフトに傘骨を収縮状態に設定させる下ストッパーが設置される。
【００１３】
以上に述べたように、従来技術と比べると、本発明には以下の特長があり：二つのアウター骨とトップ骨が互いにスライド自在に配設することによって、親骨が伸縮でき、及び親骨の伸縮動きは受骨、及び締め付け骨の動きに従い、開傘時に親骨が巧みに自動的に延伸して、花模様形状傘布を緊張させ、閉傘時に親骨が自動的に短縮して、花模様形状傘布を弛ませる。それに、本発明には、製品の構造が簡単で、組み立て易い、故障を起こす恐れが低いなどの特長がある。
【図面の簡単な説明】
【００１４】
【図１】本発明の実施例１の概要図を示す；
【図２】本発明のまた一つの傘布を採用した実施例１の概要図を示す；
【図３】本発明の実施例１の傘骨の展開状態の平面図を示す；
【図４】本発明の実施例１の傘骨の展開状態の正面図を示す；
【図５】図４分の拡大図を示す；
【図６】本発明の実施例１の締め付け骨のまた一つの接続方法を示す；
【図７】本発明の実施例１の傘骨の収縮状態の正面図を示す；
【図８】図７の親骨のＢ方向の概要図を示す；
【図９】図７のＣ部分の拡大図を示す；
【図１０】本発明の実施例２の概要図を示す；
【発明を実施するため形態】
【００１５】
以下は図を参照して、本発明の具体的な実施例を説明する。
【実施例１】
【００１６】
図１のように、中心シャフト１、傘骨２と、傘布３と、を有する花模様形状傘である。
【００１７】
傘骨２には中心シャフト１の上端に固定された上ロクロ２５と、中心シャフト１にスライド自在に設置された下ロクロ２６と、基端部を上ロクロ２５に枢結する親骨２０と、親骨２０に設けた枢結具２１２と、及び基端部を下ロクロ２６に枢結すると共に先端部を前記枢結具２１２に枢結する受骨２３を備える。各親骨２０に傘布３を張設し、前記傘布３は花模様形状で、複数個の花弁３１から構成される。
【００１８】
図３と図８同時に参考して、前記親骨２０は一つのトップ骨２１と二つのアウター骨２２から構成されており、前記トップ骨２１の基端部を前記上ロクロ２５に枢結し、前記枢結具２１２は前記トップ骨２１の先端近傍にスライド自在に外挿され、前記二つのアウター骨２２の基端部を前記枢結部２１２に固定し、及び前記二つのアウター骨２２々にトップ骨２１の両側に位置して、両アウター骨２２の先端半部が湾曲できることを安定的に維持するために、両アウター骨２２は一つのゴム製スリープより所定位置でつながる。また一つの締め付け骨２４も含まれて、前記締め付け骨２４の両端を別々に前記受骨２３の先端近傍に、また前記トップ骨２１の先端近傍に枢結し；前記花模様形状傘布３の各花弁３１の両側は別々に隣接した二つの親骨２０のアウター骨２２につながる。
【００１９】
図５と図９を参照し、枢結具２１２のスライド動きを邪魔するのを防ぐために、前記トップ骨２１の先端部がアウター骨２２に対して下へ湾曲され、一つの湾曲部２１１を形成し、前記締め付け骨２４の先端部を前記湾曲部２１１の端部に枢結する。
【００２０】
図５を参考して、受骨２３とつながる締め付け骨２４の一端を輪状に巻いて、受骨２３の該当部分に孔を形成して、ヒンジでつなる。また、図６に示すように、一つのファスナー２３１によって、前記受骨２３の底部に一つの掛け孔を形成し、受骨２3とつながる締め付け骨２４の一端を鉤状体に巻いて、前記掛け孔にかける。
【００２１】
図１、図４と図７を参考して、一つの傘頂部１３は該上ロクロ２５の上方に位置して前記中心シャフト１に上下移動自在に設置され、前記傘布３の中心部は前記傘頂部１３につながり、美観を増すために、前記傘頂部１３と上ロクロ２５の間にスプリング１４を挟んで設置され、傘布３を高く引っ張る。中心シャフト１を中心の傘頂部１３の回転動きを防ぐため、中心シャフト１には一つの長溝が設置され、傘頂部１３にはボルトが設置され、前記ボルトは前記長溝にスライド自在に設置される。
【００２２】
その上、図１、図４と図７を参考して、前記中心シャフト１に傘骨２を展開状態に設定させる上ストッパー１１と、傘骨２を収縮状態に設定させる下ストッパー１２が設置される。
【００２３】
図１を参考して、下ロクロ２６を上へ押して、傘骨２を展開させ、締め付け骨２４の動きより両アウター骨２２がトップ骨２１に対して外へ伸び、傘布3の動きで、両アウター骨２２の先端が相互に離反方向に湾曲して、傘布３をしっかりと引っ張る；図７のように、下ロクロ２６が下へスライドすると、傘骨２が収縮して、締め付け骨２４の動きにより両アウター骨２２がトップ骨２１に対して裏へ縮んで、傘布3を弛ませると同時に、両アウター骨２２の弾性変形を回復させる。
【００２４】
図２を参考して、傘布３′の花弁３１′の構造は図１に示した構造と相違して、前記花模様形状傘布は必要に応じて、様々な形に製造できる。
【実施例２】
【００２５】
本実施例２は実施例１と違って、実施例１は手動の傘で、本実施例２は自動の傘で、他の構造は全て実施例１と同じである。
【００２６】
図１０を参考して、中心シャフト１と、傘骨２と、傘布３と、を有する花模様形状傘であり、前記傘骨２には中心シャフト１の上端に固定された上ロクロ２５と、中心シャフト１にスライド自在に設置された下ロクロ２７また中ロクロ２６と、基端部を上ロクロ２５に枢結する親骨２０と、親骨２０に設けた枢結具２１２と、基端部を中ロクロ２７に枢結すると共に先端部を前記枢結具２１２に枢結する受骨 
と、及び基端部を下ロクロ２６に枢結すると共に先端部を前記受骨２３の基端近傍に枢結する子受骨２８を備え、前記中ロクロ２７と下ロクロ２６の間に位置して前記中心シャフト１に一つのスプリング２９が外挿され、各親骨２０に傘布３′を張設する。
【００２７】
同様に、前記親骨２０も一つのトップ骨２１と二つのアウター骨２２から構成されており、前記枢結具２１２は前記トップ骨２１にスライド自在に外挿され、前記両アウター骨２２の基端部を前記枢結部２１２に固定され、及びまた一つの締め付け骨２４も含まれて、前記締め付け骨２４の両端を別々に前記受骨２３の先端近傍に、また前記トップ骨２１の先端近傍に固定し；前記傘布３′は花模様形状で、花模様形状傘布３′の各花弁３１′の両側は別々に隣接した二つの親骨２０の二つのアウター骨２２につながる。前記中心シャフト１に傘骨２０を収縮状態に設定させる下ストッパー１２とストッパーボタン１５が設置される。
【００２８】
前記傘骨２０に設置された自動装置は従来技術で、ここでは詳しく説明しない。
【００２９】
以上のように、本発明でただ一つの好ましい実施例を開示したが、本発明の設計概念はこれに限定されるものではなく、当業者が、本発明の概念と範囲に基づいて色々変更することができ、それらは本発明の請求項の保護範囲から排除されるものではない。
【図１】
0003151126.tif 000003
【図２】
0003151126.tif 000004
【図３】
0003151126.tif 000005
【図４】
0003151126.tif 000006
【図５】
0003151126.tif 000007
【図６】
0003151126.tif 000008
【図７】
0003151126.tif 000009
【図８】
0003151126.tif 000010
【図９】
0003151126.tif 000011
【図１０】
0003151126.tif 000012